(57)【特許請求の範囲】
【請求項１】
足踏みペダルと連設される連結部材の基端に固定され、内周面で保持される円弧状カム体と、
前記円弧状カム体の前記内周面を保持する外周面を有するとともに、前記連結部材により回動する駆動軸が挿入される貫通孔を有する中心ボス体と、
前記円弧状カム体と前記中心ボス体を複数の固定位置で締結する締結手段と、を有し、
前記円弧状カム体の前記内周面と前記中心ボス体の前記外周面が、それぞれ異なる複数の曲面で形成されており、
前記締結手段の前記固定位置を変えることで、前記内周面の前記曲面が前記外周面の前記曲面によって保持される位置を変え、前記連結部材の前記駆動軸まわりの回動半径を変更することを特徴とするドラムペダル用の多段カム装置。
【請求項２】
前記締結手段が、前記円弧状カム体に穿たれた螺孔と、前記中心ボス体に形成された長孔と、前記円弧状カム体と前記中心ボス体を締結する調節ネジからなることを特徴とする請求項１記載のドラムペダル用の多段カム装置。
【請求項３】
前記円弧状カム体と前記中心ボス体の間の空間に、付勢されたバネを介在させてなることを特徴とする請求項１または２に記載のドラムペダル用の多段カム装置。
【発明の詳細な説明】
【技術分野】
【０００１】
本発明は、演奏者が操作するドラムペダル用の多段階カム装置に関する。
【背景技術】
【０００２】
ユーザーである演奏者は、ドラムを叩打して音楽を演奏する場合、両手にスティックを持ち、複数のドラムを押打すると同時に、片足または両足を用いてバスドラムを、ペダルを足踏み操作してドラム特有の押打音を発生させている。
【０００３】
特に、足を用いて行う足踏みペダルによるドラム演奏は、手と違い押打力の強弱の調整は難しく、専ら機械的構成を用いて行っているのが現状である（例えば、特許文献１，２及び３参照）。
【先行技術文献】
【特許文献】
【０００４】
【特許文献１】米国特許第６，９０３，２５７  Ｂ２公報
【特許文献２】米国特許第６，１７２，２９１  Ｂ１公報
【特許文献３】米国特許第６，８９４，２１０  Ｂ１公報
【発明の概要】
【発明が解決しようとする課題】
【０００５】
特許文献１では連結部材のチェンの長さを部品を介して変更させるか、特許文献２ではカムの一部分のパーツを交換するか、両手で該当パーツを保持しながら偏心調整操作をしなければならない構造であるが、さらに、特許文献３では偏心調整すると連結部材（チェン等）の上端部とカムの固定位置が回転軸と相対的に移動変化しない為、偏心調整すると連結された「フットボード角度」がユーザーの意思に反し理論的に変化（角度が大きくなる）してしまい、ユーザーが同じ角度を保とうとする場合は独立した別機構でフットボード角度を再調整し直さなければならないがという課題がある。
【０００６】
本発明は叙上の点に着目して成されたもので、連結部材（チェン等）上端部と「移動可能カム」本体が一緒に下方円周方向へ移動するので、理論的にフットボードの角度は大きく変化せず保持されたままの状態で偏心調整をすることが可能である事を特徴としている。
【０００７】
さらに本発明は、片手で連結部材の長さを変える事なく、偏心調整を容易に出来る事を可能にすることを特徴とする。
【課題を解決するための手段】
【０００８】
この発明は下記の構成を備えることにより上記課題を解決できるものである。
【０００９】
（１）足踏みペダルと連設される連結部材の基端に固定され、内周面で保持される円弧状カム体と、
前記円弧状カム体の前記内周面を保持する外周面を有するとともに、前記連結部材により回動する駆動軸が挿入される貫通孔を有する中心ボス体と、
前記円弧状カム体と前記中心ボス体を複数の固定位置で締結する締結手段と、を有し、
前記円弧状カム体の前記内周面と前記中心ボス体の前記外周面が、それぞれ異なる複数の曲面で形成されており、
前記締結手段の前記固定位置を変えることで、前記内周面の前記曲面が前記外周面の前記曲面によって保持される位置を変え、前記連結部材の前記駆動軸まわりの回動半径を変更することを特徴とするドラムペダル用の多段カム装置。
【００１０】
（２）前記締結手段が、前記円弧状カム体に穿たれた螺孔と、前記中心ボス体に形成された長孔と、前記円弧状カム体と前記中心ボス体を締結する調節ネジからなることを特徴とする前記（１）記載のドラムペダル用の多段カム装置。
【００１２】
（３）前記円弧状カム体と前記中心ボス体の間の空間に、付勢されたバネを介在させてなることを特徴とする前記（１）または（２）に記載のドラムペダル用の多段カム装置。
【発明の効果】
【００１３】
本発明によれば、バスドラムを押打する押打棒を、可動させる押打力は、足踏みペダルと連動したチェンの円弧状カム体のカム変異量の大小によって可変できるので、調節ネジの長孔内での係止位置を種々変化させて円弧状カム体を調節ネジと螺合させて、演奏者の意志によって決定できる。この位置決定は、片手で調節ネジの頭部を把持し、緩めて長孔内を移動するだけで強弱の位置を決めて緊締できるので簡単である。
【００１４】
そして、調整ネジの位置変動は、長孔の対抗位置に穿った多数の溝と、この溝と係合する係止溝を穿った調整板によって定められた位置を確固に固定できるので、フットボード角度を変更することなく行えると共に、プレイ中に変動する不都合は生じない。
【００１５】
さらに、円弧状カム体と中心ボス体との間には、付勢されたバネを介在させているので、円弧状カム体の前後動に対しても快適に行うことができる。
【００１６】
さらにまた、円弧状カム体の移動は、ガイドピンによって正しく規制されて調節位置の決定は速やかに行うことができる。
【図面の簡単な説明】
【００１７】
【図１】本発明に係るドラムペダル用の多段階カム装置の一実施例を示す使用状態の斜面図
【図２（ａ）】ペダルに掛止されたチェンが連結される回動駆動体の円弧状カム体が多段階に変化する場合の３段階を示す断面図であって、最大カム変異量が最短の場合を示す場合の断面図
【図２（ｂ）】ペダルに掛止されたチェンが連結される回動駆動体の円弧状カム体が多段階に変化する場合の３段階を示す断面図であって、最大カム変異量が最長の場合を示す断面図
【図２（ｃ）】ペダルに掛止されたチェンが連結される回動駆動体の円弧状カム体が多段階に変化する場合の３段階を示す断面図であって、最大カム変異量が中間の長さを示す断面図
【図３】回動駆動体で最大カム変異量を調節するための調節ネジとこの調節ネジが係合する要部の拡大正面図であって、（ａ），（ｂ），（ｅ）はそれぞれ図２（ａ），（ｂ），（ｃ）に対応する部分図
【図４】同上図示のチェンを取り外した回動駆動体の内部構造を示す分解斜面図
【発明を実施するための形態】
【００１８】
以下本発明を実施するための最良の形態を、実施例により詳しく説明する。
【実施例】
【００１９】
以下に、本発明の一実施例を図面と共に説明する。
【００２０】
１は、足踏みペダル２の先端と掛止される連結部材としてのチェン、３は、前記チェン１の基端を固定させてバスドラム（図示せず）を押打する２本の支持体４をドラム押打棒５と連動させた回動駆動体を示し、前記ドラム押打棒５の駆動軸６が係入する中心孔７が設けられ、左右（又は前後）一対の側板部８，８を備え、ガイドピン９，９が固定されている。
【００２１】
１０は、前記ガイドピン９，９が係入できる弧状孔１１，１１を開孔した円弧状カム体で、前記側板部８，８で形成される間隔部１２内で移動できるようになっており、さらに前記チェン１をガイドするスプロケット１３を外周に備える。そして、この円弧状カム体１０は、内周面ＩＳには前記中心孔７を形成する中心ボス体１４の外周面ＯＳと部分的に係合できる相互の複数の係合部を有する。なお、図示では、前記円弧状カム体１０の外周面１０ａは、中心孔７の中心より等距離の真円形状を備える。
【００２２】
１５は、前記中心ボス体１４の外周面ＯＳと前記円弧状カム体１０の内周面ＩＳとの間に介在させた付勢コイルばねで加圧作用を奏する。１６は、前記中心ボス体１４と一体構造の両側板部８，８間に伸びる間隔保持板で、中央に長孔１７を穿ち、この長孔１７の両側面に凹凸状の数多くの係止溝１８を穿つと共に、この係止溝１８と係合離脱できる被係止溝１９を穿った調整板２０を係脱自在に配設し、かつ前記長孔１７内に挿通され、前記円弧状カム体１０の前面に設けた螺孔２１に係止できる調節ネジ２２を備える。
【００２３】
即ち、調節ネジ２２が図３（ａ）の状態で長孔１７内で最も前面に係合している場合は、中心ボス体１４の外周面ＯＳの第１外周面ＯＳ１と円弧状カム体１０の内周面ＩＳの第１内周面ＩＳ１とが係合する状態となり、図２（ａ）の状態となり、円弧状カム体１０は、カム非作動の真円状態であって、中心孔７の中心より円弧状カム体１０の最前端までの長さ（最大カム変異量）Ｌ１は最短となる。
【００２４】
また、調節ネジ２２が図３（ｂ）の状態で最も後端に係合している場合は、中心ボス体１４の外周面ＯＳの第２外周面ＯＳ２と円弧状カム体１０の内周面ＩＳの第２内周面ＩＳ２とが係合する状態となり、図２（ｂ）の状態となり、円弧状カム体１０は最大カム作動状態となって、中心孔７の中心より円弧状カム体１０の最前端までの長さ（最大カム変異量）Ｌ２は最大となる。
【００２５】
さらに、調節ネジ２２が上記係合位置と異なる図３（ｃ）の場合は、中心ボス体１４の第３外周面ＯＳ３と円弧状カム体１０の第３円周面ＩＳ３とが係合する状態となり、中心孔７の中心より円弧状カム体１０の最前端までの長さ（最大カム変異量）Ｌ３は、中間位置の長さで選定できる。
【００２６】
そして、最大カム変異量（Ｌｘ）が図２（ａ）のＬ１でバスドラムを叩打する時が最強となり、また図２（ｂ）のＬ２の時は最弱となり、その間、押打力を加減できるものである。
【００２７】
要するに、調節ネジ２２は、長孔１７の両側に穿った係止溝１８と、この係止溝１８と係合する調整板２０の被係止溝１９を好みの位置に選ぶことにより、好みの最大カム変異量（Ｌｘ）を特定して演奏者の最適状態の押打力を与えて叩打操作できるものである。
【００２８】
演奏者は、演奏前に調整板２０の被係止溝１９の係止溝１８との係合位置を選び、調整板２０の係止位置を特定して、調節ネジ２２を長孔１７を介して、円弧状カム体１０の前面に設けて、螺孔２１内に螺合させて緊締し、最適な打圧音が発生できるようにする。
【００２９】
なお、図において、２３は駆動軸６に張架された引張スプリングのバネ機構、２４はガイドピン９の止ビス、２５は調節ネジ２２のワッシャーを示す。
【００３０】
次いで、演奏に入るものである。足踏みペダル２を押打してチェン１を引き下げれば、回動駆動体３は円弧状カム体１０の中心孔７を中心として回動し、この中心孔７と連動する中心軸を介してドラム押打棒５を回動させてバスドラムを最適な押圧力を与えて押打させることができる。
【００３１】
なお、足踏みペダル２の押圧に際しては、別途に配設したバネ機構２３を介して、ドラム押打棒５の復元機構を付与させてあることは明らかである。
【００３２】
また、調節ネジ２２に対して長孔１７の両側に設けた係止溝１８を細くし、これと係合する被係止溝１９も細かく形成して調整板２０の係止位置を多段とすることにより円弧状カム体１０をより細かな段階のカム位置に設定できる。しかし、調整板２０は必ずしも介在させる必要はなく、常に適切なドラムへの押打力を変形させることなく働かせるためには介在させた方が良い。
【００３３】
斯くして、演奏者が選んだ最大カム変異量（Ｌｘ）によって、チェン１は足踏みペダル２の一定の足踏み操作で引き下げられ、常に最大カム変異量（Ｌｘ）と基端の位置まで移動させられ、最大カム変異量がＬ１の最短の場合は最も強力な力が働き、Ｌ２の最大の場合は最も軽少な力が働き、バスドラムからの押打音は異なる音量を発すると共に、演奏者が常に同じフットボード角度で強弱好みの押打音を得ることができる。
【００３４】
そして、バスドラムの押打音の強弱は、演奏する音楽のメロディに微妙に影響し、音楽の幅を与えて質の向上に資するものである。
【００３５】
以上、本発明の一実施例を記述したが、足踏みペダルと連結する連結部材は、チェンとは限らず単にベルト素材でもよく、この場合は、スプロケットは不使用で、単純な平らな曲面としても使用できる。
【符号の説明】
【００３６】
１      チェン（連結部材）
２      足踏みペダル
３      回動駆動体
４      支持体
５      ドラム押打棒
６      駆動軸
７      中心孔
８      側板部
９      ガイドピン
１０    円弧状カム体
１０ａ  外周面
１１    弧状孔
１２    間隔部
１３    スプロケット
１４    中心ボス体
１５    コイルばね
１６    間隔保持板
１７    長孔
１８    係止溝
１９    被係止溝
２０    調整板
２１    螺孔
２２    調節ネジ
２３    バネ機構
２４    止ビス
２５    ワッシャー
ＩＳ    内周面
ＩＳ１  第１内周面
ＩＳ２  第２内周面
ＩＳ３  第３円周面
ＯＳ    外周面
ＯＳ１  第１外周面
ＯＳ２  第２外周面
ＯＳ３  第３外周面
Ｌ１    中心孔７より最前端までの長さ（最大カム変異量）
Ｌ２    中心孔７より最前端までの長さ（最大カム変異量）
Ｌ３    中心孔７より最前端までの長さ（最大カム変異量）
Ｌｘ    最大カム変異量
【要約】      （修正有）【課題】足踏みペダルの足踏み操作で得られる音量の微妙な大きさの変化を、フットボードの角度を変えることなく簡単にかつ演奏者が選定するためのドラムペダル用の多段階カム装置を提供する。【解決手段】足踏みペダル２と連設される連結部材１、この連結部材１の基端と固定させて外周面で案内される円弧状カム体１０、この円弧状カム体１０を移動自在に保持する回動駆動体３、この回動駆動体３に設けた駆動軸６が係入する中心孔７と、円弧状カム体１０の前面を規制する間隔保持板を備える。間隔保持板には長孔を穿ち、この長孔と対応する円弧状カム体１０の端面には螺孔２１を穿ち、長孔の好みの位置に挿通した調節ネジ２２により円弧状カム体１０の取付位置を自由に決定して、中心孔７の中心より円弧状カム体１０の前面までの最大カム変異量を多段にする。【選択図】図２（ａ）【図１】
0005725524.tif 000002
【図２（ａ）】
0005725524.tif 000003
【図２（ｂ）】
0005725524.tif 000004
【図２（ｃ）】
0005725524.tif 000005
【図３】
0005725524.tif 000006
【図４】
0005725524.tif 000007